(57)【要約】      （修正有）【課題】どこに設置しても室内の美観を損なうことのないレイアウト自在の貯蔵庫を提供する。【解決手段】貯蔵庫は、庫内温度を制御可能な貯蔵庫本体２と、その上面と周囲を覆い隠す遮蔽ケーシング４を有する。遮蔽ケーシング４は、正面パネル、背面パネル、左側面パネル、右側面パネル、上面パネルを一体的に具備している。各パネルは、形状、模様若しくは色彩又はこれらの結合からなる意匠部（例えば一群の貫通孔）１０を具備している。遮蔽ケーシング４の各パネルが具備する意匠部１０は、隣接する他のパネルが具備する意匠部１０とデザイン的一体性を有している。このような構成により、貯蔵庫本体２が具備するコンプレッサや配線などを遮蔽できるので、例えば壁から離れた部屋の中央に貯蔵庫を設置しても、室内の美観が損なわれることがない。また、貯蔵庫本体２を遮蔽ケーシング４で包むように覆い隠すので、オブジェのような外観を持たせることができる。【選択図】図１
0003205251.tif 000002
【実用新案登録請求の範囲】
【請求項１】
庫内の温度を制御可能に構成された貯蔵庫本体と、
前記貯蔵庫本体の上面および周囲を覆い隠す遮蔽ケーシングと、
を有することを特徴とする貯蔵庫。
【請求項２】
前記遮蔽ケーシングは、
貯蔵庫本体の正面と向かい合う正面パネルと、
貯蔵庫本体の背面と向かい合う背面パネルと、
貯蔵庫本体の左側面と向かい合う左側面パネルと、
貯蔵庫本体の右側面と向かい合う右側面パネルと、
貯蔵庫本体の上面と向かい合う上面パネルと、
を一体的に具備している、ことを特徴とする請求項１に記載の貯蔵庫。
【請求項３】
前記遮蔽ケーシングの各パネルは、形状、模様若しくは色彩又はこれらの結合からなる意匠部を具備している、ことを特徴とする請求項２に記載の貯蔵庫。
【請求項４】
前記遮蔽ケーシングの各パネルが具備する意匠部は、隣接する他のパネルが具備する意匠部とデザイン的一体性を有している、ことを特徴とする請求項３に記載の貯蔵庫。
【請求項５】
前記意匠部は複数の貫通孔から構成されている、ことを特徴とする請求項３に記載の貯蔵庫。
【考案の詳細な説明】
【技術分野】
【０００１】
本考案は、貯蔵庫に関するものであり、特に、日本酒やワインなどの酒類その他の飲食物を、温度管理された庫内で保存するための貯蔵庫に関するものである。
【背景技術】
【０００２】
酒類その他の飲食物を保存するための貯蔵庫として、冷蔵庫、ワインセラーといった貯蔵庫が広く普及している。このような貯蔵庫は、飲食物の品質を維持するために不可欠なものとなっている。
【０００３】
しかしながら、従来より提供されてきた冷蔵庫、ワインセラーなどの貯蔵庫は、室内の壁に寄せて設置することを前提して設計されているため、その背面側には、コンプレッサーや配線などの機械的要素が露出している。すなわち、従来より提供されている各種貯蔵庫は、背面部の審美性は考慮されていなかった。
【０００４】
したがって、壁から離れた位置（例えば部屋の中央）に貯蔵庫を設置する場合には、貯蔵庫の背面部に露出しているコンプレッサや配線などによって、室内の美観や雰囲気が損なわれるといった致命的な問題があった。
【０００５】
そのため、例えば、店内の雰囲気を重視した飲食店や、家具のレイアウトを重視する家庭においては、冷蔵庫やワインセラーなどの貯蔵庫を、壁から離れた位置に設置できない（あるいは室内の雰囲気を犠牲にして部屋の中央等に設置する）といった問題があった。
【考案の概要】
【考案が解決しようとする課題】
【０００６】
そこで、上述した問題点に鑑み、本考案の目的は、どこに設置しても室内の美観や雰囲気を損なうことのない、レイアウト自在の新たな貯蔵庫を提供することにある。
【課題を解決するための手段】
【０００７】
上記目的は、正面側に扉を具備し貯蔵物を出し入れ可能に構成された貯蔵庫本体と、前記貯蔵庫本体の上面および周囲を覆い隠す遮蔽ケーシングと、を有する貯蔵庫によって達成される。
【０００８】
上記貯蔵庫において、遮蔽ケーシングは、
貯蔵庫本体の正面の扉と向かい合う開閉可能な正面パネルと、
貯蔵庫本体の背面と向かい合う背面パネルと、
貯蔵庫本体の左側面と向かい合う左側面パネルと、
貯蔵庫本体の右側面と向かい合う右側面パネルと、
貯蔵庫本体の上面と向かい合う上面パネルと、
を一体的に具備している。
【０００９】
また上記貯蔵庫において、遮蔽ケーシングの各パネルは、形状、模様若しくは色彩又はこれらの結合からなる意匠部を具備していてもよい。
【００１０】
また上記貯蔵庫において、遮蔽ケーシングの各パネルが具備する意匠部は、隣接する他のパネルが具備する意匠部とデザイン的一体性を有していることが好ましい。
【００１１】
また上記貯蔵庫において、意匠部は例えば複数の貫通孔から構成されている。
【考案の効果】
【００１２】
本考案の貯蔵庫は、貯蔵庫本体の上面および周囲を覆い隠す遮蔽ケーシングを有している。これにより、貯蔵庫の背面部に露出するコンプレッサや配線などを覆い隠すことができるので、壁から離れた位置（例えば部屋の中央）に貯蔵庫を設置しても、室内の美観や雰囲気がコンプレッサや配線などによって損なわれることがない。また、貯蔵庫の背面のみならず全体（底面を除く）を遮蔽ケーシングで包むように覆い隠すので、貯蔵庫にオブジェのような外観を持たせることができる。
【００１３】
また本考案の貯蔵庫において、遮蔽ケーシングは、正面パネル、背面パネル、左側面パネル、右側面パネル、上面パネルを一体的に具備していて、これらのパネルの結合体によって内側の貯蔵庫本体を覆い隠すようになっている。このように複数枚のパネルの結合体で貯蔵庫本体を覆い隠すことで、防音効果が発揮され、貯蔵庫本体から発生される運転音などを遮ることが可能になる。
【００１４】
また本考案の貯蔵庫において、遮蔽ケーシングの各パネルは、形状、模様若しくは色彩又はこれらの結合からなる意匠部を具備している。後述する実施形態では、一例として、意匠部を「一群の貫通孔」で構成している。このような意匠部を設けることにより、貯蔵庫に美観を与えることができ、その審美性を高めることができる。
【００１５】
また本考案の貯蔵庫において、遮蔽ケーシングの各パネルが具備する意匠部は、隣接する他のパネルが具備する意匠部とデザイン的一体性を有している。ここでいう「デザイン的一体性」とは、別言すると、デザイン的なまとまり、あるいは、デザインとしての関連性やつながりを意味する。このように隣接するパネルの意匠部にデザイン的一体性を持たせることで、遮蔽ケーシングを組み立てる（つなぎ合わせる）ときに、パネルの向きや位置を誤ることなく簡単に組み立てることが可能になる。また、デザイン的一体性を持たせることで、貯蔵庫の審美性をより一層高めることができる。
【００１６】
また本考案の貯蔵庫において、各パネルが具備する意匠部は、たとえば複数の貫通孔から構成されている。このように、各パネルの意匠部を一群の貫通孔で構成することで、内部にある貯蔵庫本体からの排熱を、当該貫通孔を介して貯蔵庫の外部に排出することができる。また、貫通孔を介して内側の貯蔵庫本体を見ることができる。また、貫通孔の近傍にＬＥＤなどの照明を取り付けることで、貯蔵庫にイルミネーション効果を発揮させることが可能になる。また、このようなＬＥＤを取り付けることで、一群の貫通孔に対して情報表示機能を持たせることができる。
【図面の簡単な説明】
【００１７】
【図１】本考案の貯蔵庫を示す斜視図である（遮蔽ケーシングの扉を開いた状態を示す）。
【図２】本考案の貯蔵庫を示す斜視図である（遮蔽ケーシングの扉を閉じた状態を示す）。
【図３】本考案の貯蔵庫を示す正面図である（遮蔽ケーシングの扉を閉じた状態を示す）。
【図４】本考案の貯蔵庫を示す正面図である（遮蔽ケーシングの扉を省いた状態を示す）。
【図５】本考案の貯蔵庫を示す背面図である。
【図６】本考案の貯蔵庫を示す左側面図である。
【図７】本考案の貯蔵庫を示す右側面図である。
【図８】本考案の貯蔵庫を示す平面図である。
【図９】本考案の貯蔵庫を示す底面図である。
【考案を実施するための形態】
【００１８】
以下、添付図面に基づいて本考案の具体的実施形態について説明する。
【００１９】
本考案に係る貯蔵庫は、図１等に示すように、
・貯蔵物を出し入れ可能に構成された貯蔵庫本体２と、
・貯蔵庫本体の上面および周囲を覆い隠す遮蔽ケーシング４（外側ケーシング）と、
を有している。
【００２０】
貯蔵庫に収容する貯蔵物の代表例としては、瓶その他の容器に入った日本酒、ワイン、焼酎、ビールなどの酒類が挙げられるが、貯蔵物の種類は飲食物である限り特に限定されない。
【００２１】
貯蔵庫本体２は、遮蔽ケーシング４の内側に設けられており、独立した複数の貯蔵室と、各貯蔵室に設けられた複数の扉６，７，８を有している。各貯蔵室の温度（庫内の温度）は、それぞれ独立して制御できるように構成されている。なお、本実施形態では図１に示すように、３つの貯蔵室と、それを閉じる３つの扉６，７，８を設けているが、貯蔵庫本体２が具備する貯蔵室と扉は一つだけでもよい。また、本実施形態では、貯蔵庫全体を自在に押し引きしたり向きを変えることができるように、貯蔵庫本体２の底部には複数のキャスターが設けられている。
【００２２】
この貯蔵庫本体２は、例えば、一般的なワインセラーと同様に温度管理可能な貯蔵機能・構造を有している。なお、貯蔵庫本体の機能・構造は、ワインセラーなどの、いわゆる酒類セラーに限定されるものではなく、一般的な冷蔵庫や冷凍庫などの機能・構造を持った貯蔵庫で構成されてもよい。
【００２３】
遮蔽ケーシング４（外側ケーシング）は、底なしの箱型形状を有していて、貯蔵庫本体２の上面および周囲を覆い隠すように設けられている。
【００２４】
この遮蔽ケーシング４は、添付図面に示すとおり、
・貯蔵庫本体２の正面と向かい合う正面パネル（遮蔽ケーシングの扉９）と、
・貯蔵庫本体２の背面と向かい合う背面パネルと、
・貯蔵庫本体２の左側面と向かい合う左側面パネルと、
・貯蔵庫本体２の右側面と向かい合う右側面パネルと、
・貯蔵庫本体２の上面と向かい合う上面パネルと、
を一体的に具備している。
【００２５】
遮蔽ケーシング４の各パネルの構成部材は特に限定されず、金属やプラスチックなどからなるパネル状部材を採用することが可能である。また、遮蔽ケーシング４を構成するパネルの全部または一部に、液晶パネルなどの情報表示パネルを採用することも可能である。
【００２６】
正面パネルである遮蔽ケーシングの扉９は、自在に開閉できるように、図１に示すように複数のヒンジによって左側面パネルに連結されている。この遮蔽ケーシングの扉９は、閉めた状態で貯蔵庫本体２の正面の扉６，７，８と向かい合う位置に設けられている。遮蔽ケーシングの扉９が開いた状態で、貯蔵庫本体の扉６，７，８をそれぞれ開け閉めすることができる。
【００２７】
遮蔽ケーシング４を構成する各パネルには、意匠部をなす一群の貫通孔１０（外観略メッシュ状の貫通孔）が設けられている。一群の貫通孔１０は、複数の貫通孔の集合体、すなわち、大きさの異なる大小の複数の貫通孔がまとまったもの（寄せ集まって集合したもの）で構成されている。本実施形態の場合では、一例として、この「一群の貫通孔１０」が各パネルに２セット形成されており、また、各貫通孔は矩形に形成されている。
【００２８】
なお、本実施形態の貯蔵庫が具備する「一群の貫通孔１０」は、意匠部の一例である。すなわち、意匠部は必ずしもこのような貫通孔に限定されるものではなく、形状、模様若しくは色彩又はこれらの結合で構成される、いかなるデザインを採用することも可能である。例えば、図示するような一群の貫通孔１０の代わりに、意匠部として、一群の多角形または円形などの模様を各パネルの表面に描くようにしてもよい。
【００２９】
図１及び図２の斜視図に示すように、遮蔽ケーシング４の各パネルが具備する一群の貫通孔１０は、隣接する他のパネルが具備する一群の貫通孔１０とデザイン的一体性を有している。ここでいう「デザイン的一体性」とは、別言すると、デザイン的なまとまり、あるいは、デザインとしての関連性やつながりを意味する。
【００３０】
上述した特徴を具備する貯蔵庫によれば、貯蔵庫本体２の背面部に露出するコンプレッサや配線など遮蔽ケーシング４によって覆い隠すことができるので、壁から離れた位置（例えば部屋の中央）に貯蔵庫を設置しても、室内の美観や雰囲気がコンプレッサや配線などによって損なわれることがない。また、貯蔵庫本体２の背面のみならず全体（底面を除く）を遮蔽ケーシング４で包むように覆い隠すので、貯蔵庫にオブジェのような外観を持たせることができる。
【００３１】
以上、本考案の具体的実施形態について説明した。
なお、上述した実施形態は本考案の例示であって、実用新案登録請求の範囲に記載の本考案には、種々の実施形態・変形例が含まれることに留意されたい。
【００３２】
例えば、貫通孔の近傍にＬＥＤなどの照明を取り付けることで、貯蔵庫にイルミネーション効果を発揮させてもよい。また、貫通孔の近傍にＬＥＤなどを取り付けて、一群の貫通孔に情報表示機能を持たせてもよい。また、庫内温度に応じてＬＥＤが発する色を変化させてもよい。
【符号の説明】
【００３３】
２      貯蔵庫本体
４      遮蔽ケーシング（外側ケーシング）
６      貯蔵庫本体の扉
７      貯蔵庫本体の扉
８      貯蔵庫本体の扉
９      遮蔽ケーシングの扉
１０    一群の貫通孔（外観略メッシュ状の貫通孔）
【図１】
0003205251.tif 000003
【図２】
0003205251.tif 000004
【図３】
0003205251.tif 000005
【図４】
0003205251.tif 000006
【図５】
0003205251.tif 000007
【図６】
0003205251.tif 000008
【図７】
0003205251.tif 000009
【図８】
0003205251.tif 000010
【図９】
0003205251.tif 000011